(57)【要約】【課題】  掃除等の際に栓を下降させることなく排水できるようにし、また過って栓に手足をぶつけ怪我する事態を一掃できるようにする。【解決手段】  ポップアップ排水栓において、栓３に、上下方向に貫通する排水孔８を形成する。栓受け部材４の栓３を受ける上面に、上下方向に貫通する排水流通孔１０を栓３の排水孔８と位置を一致させて形成する。動作機構７を、押しボタン５を押すごと栓３を回転させて排水孔８を排水流通孔１０に一致、不一致状に交互に配置させると共に、押しボタン５を押すと栓３を上昇させ、離すと栓３を下降させて栓受け部材４の上面に栓３を密着させる構造に形成する。【選択図】      図１
2007321360.tif 000002
【特許請求の範囲】
【請求項１】
槽底の排水口を開閉する栓と、この栓を排水口に取り付けるため槽底に設けられる栓受け部材と、上記の栓を遠隔操作するための押しボタンと、この押しボタンの押圧力がワイヤーを介して伝わるとこの押圧力を栓の昇降動作に変換する動作機構とを備えて形成されているポップアップ排水栓であって、上記の栓に、上下方向に貫通する排水孔が形成され、上記の栓受け部材の栓を受ける上面に、上下方向に貫通する排水流通孔が栓の排水孔と位置を一致させて形成され、上記の動作機構が、押しボタンが押されるごと栓を回転させて排水孔を排水流通孔に一致、不一致状に交互に配置すると共に、押しボタンが押されると栓を上昇させ、離されると栓を下降させて上記の栓受け部材の上面に栓を密着させる構造に形成されていることを特徴とするポップアップ排水栓。
【請求項２】
請求項１記載のポップアップ排水栓であって、排水孔が、栓に、栓の中心から距離を同一にして且つ周方向に同じ角度をあけて複数形成され、この排水孔と排水流通孔が同一形状で略同じ大きさに形成され、動作機構が、押しボタンが押されるごと排水孔の形成角度の半分の角度だけ栓を回転させる構造に形成されていることを特徴とするポップアップ排水栓。
【請求項３】
請求項２記載のポップアップ排水栓であって、排水孔と排水流通孔が、栓又は栓受け部材の中心に向かって先細りの扇形に形成されていることを特徴とするポップアップ排水栓。
【請求項４】
請求項２又は３記載のポップアップ排水栓であって、排水孔と排水流通孔が、周方向に９０度づつずらされて夫々計４個づつ形成されていることを特徴とするポップアップ排水栓。
【発明の詳細な説明】
【技術分野】
【０００１】
本発明はポップアップ排水栓に関し、更に詳しくは浴槽や洗面ボウル等の槽底（底部）に設けられている栓を遠隔操作し、排水、止水を行なうことができるよう形成したポップアップ排水栓に関するものである。
【背景技術】
【０００２】
従来この種の排水栓としては、例えば特許文献１に記載されているものがある。この従来品は、遠隔操作用の押しボタンを押すことで栓受け部材に設けられている栓（栓蓋）を、排水時は上げて栓の周囲から水を排水口に流れ込ませて排水し、止水時は栓を下げて排水口を閉塞するよう形成されている。
【０００３】
而して従来品は、排水時に栓を一旦上昇させると、押しボタンを再度押さない限り、栓が上昇位置に止まる構造であった。従って従来品を使用すると、例えば浴槽等の槽内を洗浄するとき、栓を降下することを忘れ、掃除中に手や足を栓に当てて栓を壊したり、手や足を怪我する、という問題点があった。
また従来品によると、この種の事態を回避するため、掃除の際は事前に押しボタンを操作し、栓を降下させる必要がある、という煩わしさがあった。
【特許文献１】特許第３３００８８７号公報
【発明の開示】
【発明が解決しようとする課題】
【０００４】
本発明は、このような従来技術の問題点に鑑み、提案されたものである。
従って本発明の解決しようとする技術的課題は、遠隔操作用の押しボタンを押すことで排水、止水できるだけではなく、掃除等の際に栓を下降させることなく排水できるようにし、また過って栓に手足をぶつけ怪我する事態を一掃できるよう形成したポップアップ排水栓を提供することにある。
【課題を解決するための手段】
【０００５】
本発明は、上記の課題を解決するため、次のような技術的手段を採る。
即ち本発明は、図１等に示されるように、槽底１の排水口２を開閉する栓３と、この栓３を排水口２に取り付けるため槽底１に設けられる栓受け部材４と、上記の栓３を遠隔操作するための押しボタン５と、この押しボタン５の押圧力がワイヤー６を介して伝わるとこの押圧力を栓３の昇降動作に変換する動作機構７とを備えて形成されているポップアップ排水栓であって、上記の栓３に、上下方向に貫通する排水孔８が形成され、上記の栓受け部材４の栓３を受ける上面に、上下方向に貫通する排水流通孔１０が栓３の排水孔８と位置を一致させて形成され、上記の動作機構７が、押しボタン５が押されるごと栓３を回転させて排水孔８を排水流通孔１０に一致、不一致状に交互に配置すると共に、押しボタン５が押されると栓３を上昇させ、離されると栓３を下降させて上記の栓受け部材４の上面に栓３を密着させる構造に形成されていることを特徴とする（請求項１）。
本発明の場合、排水孔８と排水流通孔１０の形成角度ａ（形成個数）は、押しボタン５を１回押すごと、栓３を回転させて排水孔８の位置をずらし、排水、止水が可能になる角度であれば、適宜選定されるので良い。
【０００６】
而して本発明は、排水孔８が、栓３に、栓３の中心から距離を同一にして且つ周方向に同じ角度ａをあけて複数形成され、この排水孔８と排水流通孔１０が同一形状で略同じ大きさに形成され、動作機構７が、押しボタン５が押されるごと排水孔８の形成角度ａの半分の角度だけ栓３を回転させる構造に形成されているのが好ましい（請求項２）。
なぜならこれによると、排水の流れを円滑化でき、また排水孔８等の構造に関して栓３と栓受け部材４との仕様を共通化でき、設計を効率化できるからである。またこれによれば、押しボタン５を押圧すると、栓３が、迅速に、且つ応答性良く回転して排水、止水できるからである。なお本発明の場合、排水孔８と排水流通孔１０の形状としては、例えば円形、方形、三角形等がある。
【０００７】
この場合、本発明は、排水孔８と排水流通孔１０が、栓３又は栓受け部材４の中心に向かって先細りの扇形に形成されているのが好ましい（請求項３）。
なぜならこれによると、排水孔８や排水流通孔１０を、栓３又は栓受け部材４に、無理なく、且つ大きさを最大にして効率良く形成できるからである。
【０００８】
また本発明は、排水孔８と排水流通孔１０が、周方向に９０度づつずらされて夫々計４個づつ形成されているのが好ましい（請求項４）。
なぜならこれによると、排水孔８と排水流通孔１０の個数の増加で栓３等の強度不足を招くことなく、また排水孔８等の個数の少ないことで、押しボタン５の押圧操作の際に、応答性の低下を招くことなく、確実に排水、止水できるからである。
【発明の効果】
【０００９】
本発明は、このように構成されているから、押しボタンを押すことで、栓を遠隔操作して排水、止水できるだけではなく、栓を上昇位置に止まらせることなく、排水できる。
従って本発明によると、掃除等の際に、栓を下降させる煩わしさを解消でき、また過って栓に手足をぶつけて怪我する事態を一掃できる。
【発明を実施するための最良の形態】
【００１０】
以下、本発明を実施するための最良の形態を説明する。
本発明は、図１等に示されるように、例えば浴槽の槽底１の排水口２を開閉する栓３と、この栓３を排水口２に取り付けるため槽底１に設けられる栓受け部材４と、上記の栓３を遠隔操作するための押しボタン５と、この押しボタン５の押圧力がワイヤー６を介して伝わるとこの押圧力を栓３の昇降動作に変換する動作機構７とを備えて形成されている。
【００１１】
８（図１Ｂ、図２参照）は、上記の栓３に、上下方向に貫通状に形成されている排水孔である。この排水孔８は、栓３の中心から距離を同一にして且つ周方向に同じ角度ａをあけて複数形成されている。排水孔８は、この実施形態では栓３の中心に向かって先細りの扇形に形成され、９０度づつずらされて計４個形成されている。また栓３の底面には、ゴム製のパッキン９（図２Ｂ参照）が全面に張られ、栓受け部材４の上面に密着性、水密性が良い状態で重合可能になるよう形成されている。
【００１２】
１０（図１Ｃ、図３参照）は、上記の栓受け部材４の栓３を受ける上面に、上下方向に貫通状に形成されている排水流通孔である。この排水流通孔１０は、栓３の排水孔８と位置を一致させて排水孔８と同形状に形成されている。即ち、この排水流通孔１０は、この実施形態では栓受け部材４の中心に向かって先細りの扇形に形成され、角度ａ（図３Ａ参照）が９０度づつずらされて計４個形成されている。なおこの排水流通孔１０は、本発明の場合、独立状に形成されているのでも良いが、この実施形態では栓受け部材４の中央部４ａが上下方向に貫通され、この中央部４ａに連通状に形成されている。栓受け部材４は、中央部４ａに、動作機構７が配置される。なお栓受け部材４は、排水口２に、外周面を螺合させて取り付けられる。
【００１３】
上記の押しボタン５は、例えば浴槽のフランジ部１１（図１Ａ参照）に設けられ、またワイヤー６は、チューブ１２内に収納され、一端に押しボタン５が接続され、他端が動作機構７に連結されている。動作機構７は、押しボタン５が押されるごと、排水孔８の形成角度ａの半分の角度だけ栓３を回転させて排水孔８を排水流通孔１０に一致、不一致状に交互に配置すると共に、押しボタン５が押されると栓３を上昇させ、離されると栓３を下降させて上記の栓受け部材４の上面に栓３を密着させる構造に形成されている。
【００１４】
以下、動作機構７の構造を、図５〜図８に従って説明する。
動作機構７は、図５に示されるように、円筒状の外筒７ａと、この外筒７ａ内に収納されている円筒形の上側部材７ｂと下側部材７ｃ、及び上側部材７ｂと外筒７ａの上面との間の外筒７ａ内に収納されている圧縮コイルバネ７ｄとを備えて形成されている。
【００１５】
上側部材７ｂは、上面の中央位置に、軸７ｂ１が起立状に設けられ、この軸７ｂ１の外筒７ａから突き出されている上端に栓３が固定されている。また上側部材７ｂは、外周面に、外筒７ａの内周面に形成されている縦溝７ａ１と係合する突条７ｂ２が、軸芯位置を中心に、この実施形態では９０度間隔で、縦方向に延びて形成されている。また上側部材７ｂの下端面７ｂ３は、周方向にわたって正面等の横から見て三角形の鋸歯状に形成されている。
【００１６】
下側部材７ｃは、上側部材７ｂと同様に円筒形に形成されると共に、上端面７ｃ１が上側部材７ｂの下端面７ｂ３と係合するよう、上側部材７ｂと同じ角度の三角形の鋸歯状に形成されている。また下側部材７ｃは、外周面の上部に、外筒７ａの縦溝７ａ１と係合する凸部７ｃ２が形成されている。上記のワイヤー６は、下側部材７ｃの底面の軸芯位置に連結されている。
【００１７】
外筒７ａは、図８Ｂに示されるように、縦溝７ａ１が、内周面に、軸芯位置を中心に周方向に４５度づつあけられて垂直状に且つ同じ高さに形成されている。縦溝７ａ１同士の間の凸条７ａ２の上端７ａ３は、同図Ａに示されるように、外筒７ａを正面等の横から見て左側に上り勾配の傾斜面に形成されている。
【００１８】
次に本発明の作用を、図９等に従って説明する。
先ず使用者が、図９Ａに示される状態で、押しボタン５を押すと、その押圧力がワイヤー６を介して下側部材７ｃに加わる。下側部材７ｃは、凸部７ｃ２（説明の都合上、黒く塗り潰してある）を縦溝７ａ１に係合させている。従って押しボタン５が押されると、下側部材７ｃは縦溝７ａ１に案内されて押し上げられる。この下側部材７ｃの上端面７ｃ１は、上側部材７ｂの下端面７ｂ３に接触している。従って下側部材７ｃが押し上げられると、下側部材７ｃと上側部材７ｂとが一緒になって、外筒７ａの縦溝７ａ１に沿って上昇する。この場合、本発明は、上記の通り、上側部材７ｂには軸７ｂ１を介して栓３が一体状に設けられているから、栓３も上昇する。
而して上側部材７ｂは、外筒７ａの縦溝７ａ１に規制され、左右方向に動くことができないため、下端面７ｂ３と下側部材７ｃの上端面７ｃ１との間に、歯の隙間がある状態で持ち上がる（同図Ｂ参照）。
【００１９】
そして押圧力が更に加えられると（同図Ｂ〜Ｄの上向き矢印参照）、上側部材７ｂの突条７ｂ２（説明の都合上、黒く塗り潰してある）が縦溝７ａ１から出る（同図Ｃ参照）。上側部材７ｂの突条７ｂ２と縦溝７ａ１との係合が解かれると、コイルバネ７ｄの弾発力で、上側部材７ｂは下方へ押されて、下端面７ｂ３と上端面７ｃ１が噛み合う（同図Ｄ参照）。そして押圧力がなくなると、下側部材７ｃは自重で落下し、外筒７ａ内の下部の始動位置に配置される。突条７ｂ２が縦溝７ａ１から出ると、上側部材７ｂは、コイルバネ７ｄの弾発力で突条７ｂ２の下端が凸条７ａ２の上端７ａ３に案内されながら下降する（同図Ｅ参照）。この場合、凸条７ａ２の上端７ａ３は、外筒７ａの内周面に周方向に沿って湾曲されている。また本発明は、上記の通り、上側部材７ｂに、栓３が軸７ｂ１を介して固定されている。従って上側部材７ｂが下降すると、上側部材７ｂと栓３とが一緒に回りながら下降する。
そして上側部材７ｂの突条７ｂ２の下端が、凸条７ａ２の上端７ａ３の終端位置まで下降すると（同図Ｆ参照）、次の縦溝７ａ１に上側部材７ｂの突条７ｂ２が入り込む（同図Ｇ参照）。これにより上側部材７ｂは、回転することなく下降する。そして栓３が、栓受け部材４の上面に載置される。
【００２０】
本発明品は、このように押しボタン５を１回押すごと、栓３は持ち上がり、離すと回りながら下降し、栓受け部材４で支承される、という動作を繰り返し（図１０Ａ参照）、縦溝７ａ１（又は凸条７ａ２）の形成されている数だけ押すと、栓３が１回転する（図１０Ｂ参照）。この実施形態では、押しボタン５を８回押すと、栓３が１回転する。即ち、この実施形態では押しボタン５を1回押すと、栓３が４５度づつ回転し、排水孔８が排水流通孔１０に一致すると、排水が可能になり、排水孔８が排水流通孔１０同士の間に配置されて不一致のときは、止水する。
【００２１】
従って本発明品は、押しボタン５を押したとき以外は、栓３が下がって槽底１に接触しているから、これによると、足が栓３に引っ掛かることなく、また栓３を壊すことなく、安全に掃除等を行なうことができる。また本発明の場合、栓３は、一旦浮き上がって回りながら閉じるため、そのままスライドさせるときに比べ、パッキンの磨耗防止の効果が得られる。また本発明品は、押しボタン５を押したとき以外は、栓３が閉じている。従ってこれによると、栓３を過って踏んで無理やり閉じることを防止でき、中のワイヤー６に余計な負荷、圧力を加えることがないから、ワイヤー６の耐久性を向上できる。更に本発明品は、排水孔８が上を向いているため、これによれば、従来のこの種の排水栓に比べ、泡切れが良くなる、という効果がある。
【００２２】
以上の処において、本発明は、上記の排水孔８、排水流通孔１０が、例えば１２０度づつずらされて３個形成され、１回の押しボタン５の操作で６０度づつ栓３が回転するよう形成されるのでも良く、上例の場合に限定されるものではない。排水孔８等が１２０度間隔で形成される場合は、上記の縦溝７ａ１、従って凸条７ａ２が外筒７ａの周方向に６０度づつずらされて計６個形成されることになる。
【００２３】
而して本発明は、上記の動作機構７が、例えば図１１〜図１３に示されるように、形成されているのでも良い。この本発明は、栓３が回転しながら上昇し、下降時は回転することなく下がるよう、動作機構７を形成した例である。上例と同一部材、同一箇所には同一の符号を付し、詳しい説明は省略する。
【００２４】
この実施形態では、上側部材７ｂの外周面に、上記の突条７ｂ２に代え、凸状の係合部７ｂ４が、周方向に９０度づつずらされて形成されている。１３は、この係合部７ｂ４を案内するため、外筒７ａの内周面に形成されている案内溝である。この案内溝１３は、外筒７ａを正面等の横から見て右肩上がりの傾斜溝部１３ａと、この傾斜溝部１３ａの上端から垂直に立ち下げられている垂直溝部１３ｂと、この垂直溝部１３ｂにその下端から、図面上、右側に向かって下向き傾斜状に連なる下降傾斜部１３ｃとで、栓３が１工程の動きを実現するよう形成され、このような溝構成が周方向に所定回数繰り返されて一連状に形成されている。この実施形態の場合は、１工程の動きを実現する上記の溝構成が、４５度づつずらされて計８個形成されている。
【００２５】
而してこの実施形態の動作機構７では、上例の下側部材７ｃは省略され、ワイヤー６は、外筒７ａ内に収納されている上側部材７ｂの軸芯位置に連結されている。従ってこれによると、下側部材７ｃが必要でない分、部品コスト、組立てコストを低廉化できる。またこの本発明の場合は、ワイヤー６を介して押圧力を上側部材７ｂに伝えることができれば良いため、ワイヤー６と上側部材７ｂとは固定されていない。また栓３や圧縮コイルバネ７ｄに関しては、上例と同様である。即ち、図１１に示されるように、上側部材７ｂの上面の軸芯位置に、軸７ｂ１が起立状に設けられ、軸７ｂ１の上端に栓３が固定されている。また圧縮コイルバネ７ｄが、外筒７ａ内の軸７ｂ１の位置に外装され、このコイルバネ７ｄにより上側部材７ｂは下方に弾発されている。
【００２６】
次にこの実施形態に係る本発明の作用を、図１３に従って説明する。
同図Ａに示される状態は、栓３が栓受け部材４の上面に載置されているときを示す。この状態で使用者が、押しボタン５を押すと、ワイヤー６を介してその押圧力が上側部材７ｂに加わり、係合部７ｂ４が傾斜溝部１３ａに沿って上方に導かれる。栓３は、上側部材７ｂと一体化しているから、係合部７ｂ４が上方に導かれる過程で上側部材７ｂと共に回転する。そして押圧力がなくなると、係合部７ｂ４は傾斜溝部１３ａの最終端（上端）から垂直溝部１３ｂに入って落下し、コイルバネ７ｄの弾発力により、同図Ｂの位置に配置される。
【００２７】
この本発明の場合は、このように押しボタン５を１回押すごと、傾斜溝部１３ａを導かれる過程（同図Ｃの斜め矢印の過程）で、栓３は回転しながら上昇する。また栓３は、垂直溝部１３ｂを落下する過程（同図Ｃの縦向き矢印の過程）では、回転することなく下降し、栓受け部材４の上面に載置される。そしてこの実施形態では、押しボタン５を１回押すごと、栓３が４５度づつ回転し、上例の場合と同様、排水孔８と排水流通孔１０とが一致すると排水し、不一致のときは止水する。
【図面の簡単な説明】
【００２８】
【図１】本発明の排水栓の好適な一実施形態を示し、Ａは一部を切欠した要部断面図、Ｂは栓の平面図、Ｃは栓受け部材の平面図、Ｄは止水時の栓と栓受け部材の状態を示す平面図である。
【図２】Ａは栓の平面図、ＢはＡのＢ−Ｂ線断面図である。
【図３】Ａは栓受け部材の平面図、ＢはＡのＢ−Ｂ線断面図である。
【図４】排水時の栓と栓受け部材の状態を示す平面図である。
【図５】動作機構の構造を示す要部断面図である。
【図６】Ａは上側部材の正面図、Ｂは平面図である。
【図７】下側部材の正面図である。
【図８】Ａは外筒の一部を切欠した要部正面図、ＢはＡのＢ―Ｂ線断面図である。
【図９】Ａ〜Ｇとも動作機構の作用を説明するための概略構成図である。
【図１０】Ａは外筒の内周面の要部展開図、Ｂは栓の動作を説明するための要部断面図である。
【図１１】動作機構の他の実施形態を示す要部正面図である。
【図１２】図１１に係る動作機構の分解正面図である。
【図１３】Ａ〜Ｃとも図１１に係る動作機構の作用を説明するための概略構成図である。
【符号の説明】
【００２９】
１      槽底
２      排水口
３      栓
４      栓受け部材
５      押しボタン
６      ワイヤー
７      動作機構
８      排水孔
１０    排水流通孔
ａ      角度
【図１】
2007321360.tif 000003
【図２】
2007321360.tif 000004
【図３】
2007321360.tif 000005
【図４】
2007321360.tif 000006
【図５】
2007321360.tif 000007
【図６】
2007321360.tif 000008
【図７】
2007321360.tif 000009
【図８】
2007321360.tif 000010
【図９】
2007321360.tif 000011
【図１０】
2007321360.tif 000012
【図１１】
2007321360.tif 000013
【図１２】
2007321360.tif 000014
【図１３】
2007321360.tif 000015